(57)【要約】      （修正有）【課題】車椅子のタイヤの外周を、簡素な構造によって均一に覆うことの可能なカバーを提供する。【解決手段】車椅子２の車輪３を構成するタイヤ５の表面を覆って装着されるカバー１であって、弾性材料によって薄膜状にかつ環状に形成され、タイヤ５表面を、その断面において半周以上を覆う幅を有し、タイヤ５の外周の長さよりも短い周長を有することを特徴とする。【選択図】図１
2019084364.tif 000002
【特許請求の範囲】
【請求項１】
車椅子の車輪を構成するタイヤの表面を覆って装着されるカバーであって、弾性材料によって薄膜状にかつ環状に形成され、前記タイヤ表面を、その断面において半周以上を覆う幅を有し、前記タイヤの外周の長さよりも短い周長を有することを特徴とする車椅子のタイヤカバー。
【請求項２】
前記タイヤに装着された状態において外方へ向けて位置される表面に、多数の凸部が形成されていることを特徴とする請求項１に記載の車椅子のタイヤカバー。
【発明の詳細な説明】
【技術分野】
【０００１】
本考案は、車椅子のタイヤカバーに関するものである。
【背景技術】
【０００２】
車椅子は、その使用時に、屋内と屋外とを行き来することがあり、屋外から屋内に戻る際にタイヤが汚れていると、屋内を汚してしまう。
【０００３】
また、屋内外を問わず、何等かの原因で前記タイヤに水等が付着すると、前記タイヤが滑ることによって、車椅子の制御が困難になってしまうことが想定される。
【０００４】
このような不具合へ対処すべく、従来では、たとえば、特許文献１に示される技術が提案されている。
【０００５】
この従来の技術は、可撓性のある材料によって、所定幅の帯状のカバーを形成し、このカバーを、タイヤの外周に、その全周にわたって巻き付けるとともに、前記カバーの両端部を、この両端部に取り付けた磁石によって連結することにより、前記タイヤを全周に亙って覆うようにしている。
【０００６】
また、帯状のカバーを前記タイヤに巻き付けると、その幅方向の中間部が前記タイヤの表面に接触した状態において、幅方向両側縁部が前記タイヤから浮いた状態となる。
【０００７】
このような不具合を避けるために、前述した従来技術では、前記帯状のカバーを樋状に形成して、前記タイヤに装着した状態において、前記カバーの両側縁部を、前記タイヤの両側面に対峙させるようにしている。
【先行技術文献】
【特許文献】
【０００８】
【特許文献１】特開２０１１−６５８１４号公報
【発明の概要】
【発明が解決しようとする課題】
【０００９】
前述した従来の技術では、前記カバーを前記タイヤに装着する際に、両端部を磁石で連結するようにしている。  そのために、前記カバーを構成する部品点数が多く、また、前記磁石を固定するための特殊な構造が必要となり、構成が極めて煩雑化する。
【００１０】
さらに、前記カバーを固定する際に、その両端部を重畳させ、この重畳部分において磁石を吸着させることにより、前記カバーを連結するようにしている。
【００１１】
しかしながら、前記カバーの重畳部分が、前記タイヤの外周部に段差を形成してしまい、走行性に悪い影響を与えてしまう。
【００１２】
一方、前記段差を無くすために、前記カバーの両端部を突き合わせた状態で、磁石による吸着により連結することも考えられる。
【００１３】
しかしながら、このような連結構造であっても、前記カバーの両端の連結部に不連続部が形成されてしまう。  このために、前記タイヤに水が付着している場合、この水が、前記カバーの不連続からカバー表面に浸み出してしまうことが懸念される。
【００１４】
本考案は、前述した従来の技術において残されている問題点を解決せんとしてなされたもので、タイヤの外周を、簡素な構造によって均一に覆うことの可能なカバーを提供することを解決すべき課題とする。
【課題を解決するための手段】
【００１５】
本考案の車椅子のタイヤカバーは、車輪を構成するタイヤの表面を覆って装着されるカバーであって、弾性材料によって薄膜状にかつ環状に形成され、前記タイヤ表面を、その断面において半周以上を覆う幅を有し、前記タイヤの外周の長さよりも短い周長を有することを特徴としている。
【００１６】
このような構成とすることにより、使用時には、前記カバーの一部を前記タイヤの一部を覆うようにして被せ、ついで、前記カバーを、その弾性を利用して引き延ばしつつ、前記タイヤの周方向に順次被せていくことにより、このカバーを前記タイヤの外側に全周に亙って被せることができる。
【００１７】
前記カバーの、前記タイヤに被せられた部位は、その弾性によって前記タイヤを包み込むように変形し、これによって、前記カバーが前記タイヤに一体化される。  また、前記カバーを取り外す際には、前述した操作と逆の操作を行なえば良い。
【００１８】
このように、本考案のカバーは、その弾性を利用して容易に前記タイヤに脱着することができる。  そして、前記カバーは、それ単独で用いられ、前記タイヤに止着するための付加構造物が不要であり、その構成が極めて簡素である。
【００１９】
また、前記カバーは、前記タイヤに装着された状態において、このタイヤの全周に亙って均一に装着される。  したがって、前記タイヤの外周に段差が形成されるようなことはなく、安定した走行性が確保される。
【００２０】
そして、前記カバーの、前記タイヤに装着された状態において外方へ向けて位置される表面に、多数の凸部を形成しておくこともできる。
【００２１】
このような構成とすることにより、前記カバーと走行面との摩擦を高めることにより、車椅子の滑りを抑制することができる。  これによって、走行安定性をさらに高めることができる。
【発明の効果】
【００２２】
本考案の車椅子のタイヤカバーによれば、単一部材で構成することによって構成を簡素化することができるとともに、前記タイヤを全周に亙って均一に覆うことができる。
【図面の簡単な説明】
【００２３】
【図１】本考案の一実施形態を示すもので、車椅子に装着状態を示す外観斜視図である。
【図２】本考案の一実施形態を示すもので、被装着状態のカバーの外観斜視図である。
【図３】本考案の一実施形態を示すもので、カバーを広げた状態を示す外観斜視図である。
【図４】本考案の一実施形態を示すもので、カバーをタイヤに装着した状態を示す要部の拡大縦断面図である。
【発明を実施するための形態】
【００２４】
以下、本考案の一実施形態を、図面を参照して説明する。  これらの図において符号１は、本実施形態に係わるカバーを示し、図１に示すように、車椅子２の両側部に取り付けられている一対の車輪３のそれぞれの外周を覆って装着される。
【００２５】
前記車輪３は、前記車椅子２の車体に回転自在に装着されたホイール４と、このホイール４に装着されたタイヤ５とによって構成されており、このタイヤ５の外周を覆って本実施形態に係わる前記カバー１が装着される。
【００２６】
本実施形態に係わる前記カバー１は、弾性材料によって薄膜状にかつ環状に形成され、前記タイヤ５表面を、図４に示すように、その断面において半周以上を覆う幅Ｗを有し、前記タイヤ５の外周の長さよりも短い周長を有することを特徴としている。
【００２７】
すなわち、図３に示すように、前記カバー１を環状に広げた状態における内径をｒとし、図４に示すように、前記タイヤ５の外径をＲとした場合、Ｒ＞ｒの関係に寸法が設定されている。
【００２８】
このような構成とすることにより、使用時には、前記カバー１の一部を、前記タイヤ５の一部を覆うようにして被せ、ついで、前記カバー１を、その弾性を利用して引き延ばしつつ、前記タイヤ５の周方向に順次被せていくことにより、図１に示すように、このカバー１を前記タイヤ５の外側に全周に亙って被せることができる。
【００２９】
このような操作により、前記カバー１の、前記タイヤ５に被せられた部位は、その弾性によって前記タイヤ５を包み込むように変形し、これによって、図４に示すように、前記カバー１が前記タイヤ５に一体化される。
【００３０】
一方、前記カバー１を前記タイヤ５から取り外す際には、前述した操作と逆の操作を行なえば良い。
【００３１】
このように、本考案のカバー１は、その弾性を利用して容易に前記タイヤ５に脱着することができる。  そして、前記カバー１は、それ単独で用いられ、かつ、自らの弾性によって前記タイヤ５に止着させられるため、装着のための付加構造物が不要であり、その構成が極めて簡素である。
【００３２】
しかも、前記カバー１は、前記タイヤ５に装着された状態において、このタイヤ５の全周に亙って均一に装着される。  したがって、前記タイヤ５の外周に段差が形成されるようなことはなく、安定した走行性が確保される。
【００３３】
なお、前記実施形態において示した形状や寸法等は一例であって、設計要求等に基づき種々変更可能である。
【００３４】
たとえば、前記カバー１の、前記タイヤ５に装着された状態において外方へ向けて位置される表面に、多数の凸部を形成しておくこともできる。
【００３５】
このような構成とすることにより、前記カバー１と走行面との摩擦を高めることにより、車椅子２の滑りを抑制することができる。  これによって、走行安定性をさらに高めることができる。
【００３６】
そして、前記カバー１は、不使用時にあっては、図２に示すように、外形形状を自由に変化させることができ、これによって、小さく折り畳んで収納することができる。  これによって、前記車椅子２に収納して携帯することが容易となる。
【００３７】
さらに、前記カバー１の表面に、図３に符号Ｚで示すように、文字や図柄等を付すことにより、広告機能を持たせることも可能である。
【符号の説明】
【００３８】
１  カバー２  車椅子３  車輪４  ホイール５  タイヤｒ  カバーの半径Ｒ  タイヤの外径Ｗ  幅Ｚ  文字や図柄  
【図１】
2019084364.tif 000003
【図２】
2019084364.tif 000004
【図３】
2019084364.tif 000005
【図４】
2019084364.tif 000006